(57)【要約】【課題】確実にサージを検出して装置を保護することができるサージ保護装置及びこれを用いた給湯装置を提供すること。【解決手段】雷サージＳが電源ラインＶｃｃ１から侵入したときには、正サージ検出回路５１０に備えられたフォトトランジスタＰＴ１がオンして、共通接続点の電位がロウレベルとなる。一方、雷サージＳが１次側グランドラインＧＮＤ１から侵入したときには、負サージ検出回路５２０に備えられたフォトトランジスタＰＴ２がオンして、共通接続点の電位がロウレベルとなる。従って、マイクロコンピュータ４００にはロウレベル電位のサージ検出信号Ｓが入力され、これによって、マイクロコンピュータ４００は警報制御を行う。【選択図】図３
2006296047.tif 000002
【特許請求の範囲】
【請求項１】
電源ラインから電源供給を受ける電気負荷に対して前記電源ライン又はグランドラインからサージが侵入したことを検出し、前記電気負荷を保護するサージ保護装置であって、
前記電源ラインと前記グランドラインとの間に配され、前記サージが前記電源ライン又は前記グランドラインから前記サージが侵入したことを検出し、これに伴ってサージ検出信号を出力するサージ検出手段と、
前記電源ラインに配され、前記サージ検出信号が出力されたことを条件に前記電気負荷を前記電源ラインから切り離す遮断手段とを備えることを特徴とするサージ保護装置。
【請求項２】
前記サージ検出手段は、
前記電源ラインからサージが侵入したことを検出し、正サージ検出信号を出力する正サージ検出回路と、
前記電グランドラインからサージが侵入したことを検出し、負サージ検出信号を出力する負サージ検出回路とから構成されていることを特徴とする請求項１に記載のサージ保護装置。
【請求項３】
前記正サージ検出回路は、
前記電源ラインにアノードが接続される逆流阻止ダイオードと、
前記逆流阻止ダイオードのカソードにアノードが接続される定電圧ダイオードと、
前記低電圧ダイオードのカソードにアノードが接続され、カソードが前記グランドラインに接続される１次側発光ダイオード及びこの１次側発光ダイオードの動作に応じてスイッチング動作する２次側スイッチング素子からなるフォトカプラと、
前記２次側スイッチング素子のスイッチング動作に基づいてサージ検出信号を出力するサージ検出信号出力回路とから構成されていることを特徴とする請求項１又は請求項２に記載のサージ保護装置。
【請求項４】
前記負サージ検出回路は、
前記電源ラインにカソードが接続される逆流阻止ダイオードと、
前記逆流阻止ダイオードのアノードにカソードが接続される定電圧ダイオードと、
前記低電圧ダイオードのアノードにカソードが接続され、アノードが前記グランドラインに接続される１次側発光ダイオード及びこの１次側発光ダイオードの動作に応じてスイッチング動作する２次側スイッチング素子からなるフォトカプラと、
前記２次側スイッチング素子のスイッチング動作に基づいてサージ検出信号を出力するサージ検出信号出力回路とから構成されていることを特徴とする請求項１又は請求項２に記載のサージ保護装置。
【請求項５】
前記サージ検出信号が出力されたことを条件に、これを報知する報知手段が備えられていることを特徴とする請求項１乃至請求項４のいずれかに記載のサージ保護装置。
【請求項６】
請求項１乃至請求項５のいずれかに記載のサージ保護装置を備える給湯装置であって、
前記電気負荷として、少なくとも前記電源ラインに接続されて動作するヒートポンプユニットと、
電源回路を介して前記電源ラインに接続される表示手段と、
前記電源回路を介して前記電源ラインに接続され、前記ヒートポンプユニットの動作を制御するとともに、前記サージ検出手段からサージ検出信号が出力されたことを条件に前記表示手段にその旨を表示させる制御手段とを備えること特徴とする給湯装置。
【請求項７】
前記遮断手段は、前記電源ラインと前記ヒートポンプユニットとの間であって、且つ、前記電源ラインと前記電源回路との間に接続されていることを特徴とする請求項６に記載の給湯装置。
【発明の詳細な説明】
【技術分野】
【０００１】
本発明は、サージ保護装置及びこれを備える給湯装置に関する。
【背景技術】
【０００２】
従来から、電気機器には商用電源又は機器側からの雷サージの侵入を検知し、強制的に商用電源からの電源供給を遮断するサージ保護装置が備えられている。
【０００３】
このサージ保護装置はサージギャップと電流検出回路とを直列接続して構成されており、電力変換を行う電源回路の１次側グランドラインと２次側グランドラインとの間に配されている。
【０００４】
商用電源又は１次側グランドラインからサージが侵入したときには、１次側グランドラインの電位が２次側グランドラインの電位よりも高くなる。この電位差がサージギャップの放電開始電圧以上の電位差となると、これによって、両グランドライン間に電流が流れ、これを電流検出回路が検出することによってサージの侵入が検出される。そうすると、商用電源と電気機器との間に設けられたスイッチを開放することで、電気機器への電源供給を遮断している。
【０００５】
一方、２次側グランドラインから雷サージが侵入したときには、２次側グランドラインの電位が１次側グランドラインの電位よりも高くなる。この電位差がサージギャップの放電開始電圧以上の電位差となると、これによって、両グランドライン間に電流が流れ、これを電流検出回路が検出することによってサージの侵入が検出される。そうすると、商用電源と電気機器との間に設けられたスイッチを開放することで、電気機器への電源供給を遮断している。
【０００６】
また、サージギャップに替えてバリスタを使用することもできる（例えば、特許文献１参照）。
【特許文献１】特開平５−３２６１０８号公報
【発明の開示】
【発明が解決しようとする課題】
【０００７】
ところで、このようなサージ保護装置を給湯装置に適用することが考えられている。しかしながら、上記のサージ保護装置をそのまま適用しようとすると以下のような事が懸念される。
【０００８】
給湯装置は大まかには貯湯タンク内の水を温めるヒートポンプユニットと、このヒートポンプユニットの動作を制御する制御ユニットとから構成されており、このうち制御ユニットは、商用電源の交流電力を直流電力に変換するスイッチング回路からなる電源回路から電力供給を受けるようになっている。ここで、電源回路の１次側グランドラインと２次側グランドラインとは、バイパスコンデンサを介して共通接続されており、スイッチング動作時に発生し、２次側に流入した高周波ノイズを１次側グランドラインに逃がすようにしている。
【０００９】
このため、両グランドラインは同電位とされ、上記のサージ保護装置を両グランドライン間に配したとしても雷サージを検出することができない。
【００１０】
また、上記サージ保護装置に用いられるサージギャップは放電開始電圧の個体差が大きく、バリスタについても、サージ印加による保護開始電圧の低下が顕著であるから装置としての信頼性に疑問が生じる。
【００１１】
本発明は上記問題を鑑みてなされたものであり、その目的は確実にサージを検出して電気負荷を保護することができるサージ保護装置及びこれを用いた給湯装置を提供することである。
【課題を解決するための手段】
【００１２】
請求項１の発明は、電源ラインから電源供給を受ける電気負荷に対して電源ライン又はグランドラインからサージが侵入したことを検出し、電気負荷を保護するサージ保護装置であって、電源ラインと前記グランドラインとの間に配され、サージが電源ライン又はグランドラインからサージが侵入したことを検出し、これに伴ってサージ検出信号を出力するサージ検出手段と、電源ラインに配され、サージ検出信号が出力されたことを条件に電気負荷を電源ラインから切り離す遮断手段とを備えることを特徴としている。
【００１３】
このようにすれば、電源ライン又は／及びグランドラインから侵入したサージを確実に検出することができ、電気負荷を確実に保護することができる。
【００１４】
また、電気負荷が商用電源の交流電力を直流電力に変換するスイッチング回路からなる電源回路から電力供給を受けることとなった場合、電源回路の１次側グランドラインと２次側グランドラインとをバイパスコンデンサを介して共通接続し、スイッチング動作時に発生し、２次側グランドラインに流入した高周波ノイズを１次側グランドラインに逃がす必要がある。このような場合、１次側グランドラインの電位と２次側グランドラインの電位が同一とされ、従来のサージ保護装置では雷サージを検出することができなかった。しかしながら、本構成ではサージ検出手段を電源ラインとグランドラインとの間に配する構成としているから、これを確実に検出することができる。
【００１５】
請求項２の発明は、サージ検出手段は、電源ラインとグランドラインとの間に配され、電源ラインからサージが侵入したことを検出し、正サージ検出信号を出力する正サージ検出回路と、電源ラインと前記グランドラインとの間に配され、グランドラインからサージが侵入したことを検出し、負サージ検出信号を出力する負サージ検出回路とから構成されていることを特徴としている。
【００１６】
このような構成とすれば、正サージ及び負サージ夫々を個別に検出することができる。
請求項３の発明は、正サージ検出回路は、電源ラインにアノードが接続される逆流阻止ダイオードと、逆流阻止ダイオードのカソードにアノードが接続される定電圧ダイオードと、低電圧ダイオードのカソードにアノードが接続され、カソードが前記グランドラインに接続される１次側発光ダイオード及びこの１次側発光ダイオードの動作に応じてスイッチング動作する２次側スイッチング素子からなるフォトカプラと、２次側スイッチング素子のスイッチング動作に基づいてサージ検出信号を出力するサージ検出信号出力回路とから構成されていることを特徴としている。
【００１７】
従来のサージ保護装置では、サージが侵入したことを検出するための素子として、サージギャップ又はバリスタを使用していた。しかし、これらの検出素子は放電開始電圧の個体によるバラつきが大きく、サージ印加による保護開始電圧の低下が顕著であるから装置としての信頼性維持が問題となっていた。
【００１８】
これに対して本構成では、サージが侵入したことを検出するための素子として固体によるバラつきの小さい定電圧ダイオードを使用しているから装置としての信頼性を確保することができる。
【００１９】
請求項４の発明は、負サージ検出回路は、電源ラインにカソードが接続される逆流阻止ダイオードと、逆流阻止ダイオードのアノードにカソードが接続される定電圧ダイオードと、低電圧ダイオードのアノードにカソードが接続され、アノードが前記グランドラインに接続される１次側発光ダイオード及びこの１次側発光ダイオードの動作に応じてスイッチング動作する２次側スイッチング素子からなるフォトカプラと、２次側スイッチング素子のスイッチング動作に基づいてサージ検出信号を出力するサージ検出信号出力回路とから構成されていることを特徴としている。
【００２０】
従来のサージ保護装置では、サージが侵入したことを検出するための素子として、サージギャップ又はバリスタを使用していた。しかし、これらの検出素子は放電開始電圧の個体によるバラつきが大きく、サージ印加による保護開始電圧の低下が顕著であるから装置としての信頼性維持が問題となっていた。
【００２１】
これに対して本構成では、サージが侵入したことを検出するための素子として固体による特性にバラつきの小さい定電圧ダイオードを使用しているから装置としての信頼性を確保することができる。
【００２２】
請求項５の発明は、サージ検出信号が出力されたことを条件にサージが侵入したことを報知する報知手段が備えられていることを特徴としている。
【００２３】
このような構成とすれば、電気負荷の使用者あるいは管理者に対してサージの侵入を知らしめて電気負荷の点検・整備を促すことができる。
【００２４】
請求項６の発明は、請求項１乃至請求項５のいずれかに記載のサージ保護装置を備える給湯装置であって、電気負荷として、少なくとも電源ラインに接続されて動作するヒートポンプユニットと、電源回路を介して電源ラインに接続される表示手段と、電源回路を介して電源ラインに接続され、ヒートポンプユニットの動作を制御するとともに、サージ検出手段からサージ検出信号が出力されたことを条件に表示手段にその旨を表示させる制御手段とを備えること特徴としている。
【００２５】
このような構成とすれば、給湯装置の使用者・管理者に対してサージ侵入により装置が停止したことを知らしめることができるから、突然の停止に対して故障であると混乱させることがなく、使用者・管理者に対して安心感を与えることができる。
【００２６】
請求項７の発明では、遮断手段は、電源ラインと前記ヒートポンプユニットとの間であって、且つ、電源ラインと電源回路との間に接続されていることを特徴としている。
【００２７】
このように構成すれば、１つの遮断手段で給湯装置を構成する全電気負荷への電源供給を一括して遮断することができ、装置全体の保護を実現することができる。
【発明を実施するための最良の形態】
【００２８】
＜第１実施形態＞
以下、本発明の実施形態について図面を参照して説明する。以下の実施形態では本発明を給湯装置に適用した例について説明するが、本発明はそれ以外の電気機器にも適用可能である。
【００２９】
図１は、貯湯式の給湯装置の概略構成を示す模式図である。金属製（例えばステンレス製）の貯湯タンク１は縦長形状をなしており、外周部に図示しない断熱材を配置して、高温の給湯用水を長時間に渡って保温することができるようになっている。
【００３０】
この貯湯タンク１には、これに対して給湯用水を供給する給水管１２が接続されており、減圧弁６３を介して当該貯湯タンク１内へ給湯用水が流入するようになっている。また、貯湯タンク１には導出管１４，２４が接続されており、内部に貯留されている温水を導出可能とされている。
【００３１】
混合弁１６，２６は、サーボモータ等の駆動源により弁体を駆動する電動弁であり、後述する制御装置２００からの制御信号により作動するものである。これは、導出管１４，２４内の温水と、減圧弁６３に接続された給水配管１５内の給湯用水とを所定の割合で混合し、浴槽５０に連なる配管１７、シャワー等の混合給湯配管２７に供給するようになっている。また、これら混合弁１６，２６はその動作状態を制御装置２００に出力するようになっている。
【００３２】
また、導入管１２、配管１７、混合給湯配管２７には、それぞれサーミスタ及び流量カウンタ（図示せず）が設けられており、管内の温度情報および流量情報を制御装置２００に出力するようになっている。
【００３３】
ヒートポンプユニット２は、ヒートポンプサイクルにより温水を生成するものである。このヒートポンプユニット２内には貯湯タンク１内の温水が還流する循環回路２０の一部が配されており、制御装置２００からの制御信号に基づいて循環回路２０内の温水を加熱する沸き上げ動作を行う。また、ヒートポンプユニット２はその作動状態を制御装置２００に出力するようになっている。
【００３４】
１００Ａ、１００Ｂは制御条件設定・表示を行うための操作盤（浴室リモコン１００Ａ、台所リモコン１００Ｂ）であり、各種操作スイッチの信号を後述する制御装置２００に出力するようになっている。また、制御装置２００からの制御信号により表示手段である表示部１１０Ａ，１１０Ｂ（表示手段に相当）の表示を行うとともに、スピーカ１２０Ａ，１２０Ｂを鳴動させて音声により各情報を報知するようになっている。
【００３５】
リモコン１００Ａ，１００Ｂには、図６（ａ）、（ｂ）に示すように、ふろ自動スイッチ１２１Ａ，１２１Ｂ、ふろ選択スイッチ１２２Ａ，１２２Ｂ、高スイッチ１２３Ａ，１２３Ｂ、および低スイッチ１２４Ａ，１２４Ｂ等の操作スイッチが設けられている。
【００３６】
２００は制御装置であり、各サーミスタからの温度情報、流量カウンタからの流量情報および操作盤１００Ａ，１００Ｂに設けられた操作スイッチからの信号等に基づいて、ヒートポンプユニット２、混合弁１６、１７および操作盤１００Ａ，１００Ｂの表示部１１０Ａ，１１０Ｂ等を制御するように構成されている。
【００３７】
この制御装置２００には、図２に示すように、ＡＣ２００Ｖの商用電源Ｖに接続される入力端子２００Ａ，２００Ｂが備えられているとともに、アースＥに接続されるアース端子２００Ｃが備えられており、これによって、制御装置２００は商用電源Ｖから電力供給を受けて動作するようになっている。また、制御装置２００には、ヒートポンプユニット２に対して電源供給を行うための出力端子２００Ｄ，２００Ｅ及びアースＥに接続するためのアース端子２００Ｆが設けられている。このうち出力端子２００Ｄ，２００Ｅは、入力端子２００Ａ，２００Ｂから連なる電源ラインＶｃｃ１に接続されているとともに、アース端子２００Ｆは入力端子２００Ｃを介してアース線（１次側グランドラインＧＮＤ１）に接続されている。
【００３８】
入力端子２００Ａと出力端子２００Ｄとの間には、たとえば、リレーからなるスイッチ２１０が設けられており、オンオフ動作可能に構成されている。すなわち、スイッチ２１０がオン動作しているときには、ヒートポンプユニット２に対して商用電源Ｖからの電源供給が行われる一方、オフ動作しているときには、商用電源Ｖからの電源供給が遮断される。また、スイッチ２１０は電力用半導体スイッチによって構成することもできる。
【００３９】
制御装置２００に備えられた制御基板２２０には、電源ラインＶｃｃ１に接続される入力端子２２０Ａ、２２０Ｂが備えられているとともに、アース端子２００Ｃを介してアース線（１次側グランドラインＧＮＤ１）に接続されるアース端子２２０Ｃが備えられている。
【００４０】
この制御基板２２０には、電源回路３００と、電源回路３００からの電源供給を受けて動作するマイクロコンピュータ４００（請求項に記載の「制御手段」に相当）と、雷サージを検出するサージ検出回路５００（請求項に記載の「サージ検出手段」に相当）とが実装されている。
【００４１】
電源回路３００は周知のスイッチング回路であり、１次側に入力される交流電力を変換し２次側から直流電力を出力するものであり、例えば振幅５Ｖの直流電圧を出力する。このうち１次側には、入力端子２００Ａ，２００Ｂから連なる電源ラインＶｃｃ１が接続されており、２次側にはマイコン４００が接続されている。また、１次側グランドラインＧＮＤ１と２次側グランドラインＧＮＤ２との間にはバイパスコンデンサＣ（図３参照）が設けられており、これによって、スイッチング動作時に発生し、２次側に侵入する高周波ノイズを１次側に逃がすようにしている。
【００４２】
マイクロコンピュータ４００は電源回路３００からの直流電力の供給を受けて動作するものであり、上述したように、各サーミスタからの温度情報、流量カウンタからの流量情報および操作盤１００に設けられた操作スイッチからの信号等に基づいて、ヒートポンプユニット２、混合弁１６、１７および操作盤１００Ａ，１００Ｂの表示部１１０Ａ，１１０Ｂ等を制御するとともに、後述するサージ検出回路５００の動作に応じてスイッチ２１０に制御信号を送信するように構成されている。この制御信号はスイッチ２１０をオンさせるためのＯＮ信号とオフさせるためのＯＦＦ信号とからなる（図５参照）。また、このマイクロコンピュータ４００は、サージ検出回路５００からのサージ検出信号に基づいて図４に示すフローチャートを実行するようになっている。
【００４３】
サージ検出回路５００（請求項に記載の「サージ検出手段」に相当）は、図３に示すように、入力端子２００Ａ，２００Ｂから連なる電源ラインＶｃｃ１とアース端子２００Ｃに連なる１次側グランドラインＧＮＤ１との間に配されている。このサージ検出回路５００は正サージを検出する正サージ検出回路５１０と、負サージを検出する負サージ検出回路５２０とから構成されている。
【００４４】
正サージ検出回路５１０は、電源ラインＶｃｃ１にアノードが接続される逆流阻止ダイオードＤ１と、この逆流阻止ダイオードＤ１のカソードにアノードが接続されるツェナーダイオードＺＤ１（定電圧ダイオード）と、ツェナーダイオードＺＤ１に直列接続される電流制限抵抗Ｒ１と、電流制限抵抗Ｒ１にアノードが接続され、カソードが１次側グランドラインＧＮＤ１に接続される発光ダイオードＰＤ１（１次側発光ダイオード）及びこの発光ダイオードＰＤ１と対をなすコレクタ出力型のフォトトランジスタＰＴ１（２次側スイッチング素子）からなるフォトカプラＰＣ１とから構成されている。
【００４５】
負サージ検出回路５２０は、電源ラインＶｃｃ１にカソードが接続される逆流阻止ダイオードＤ２と、この逆流阻止ダイオードＤ２のアノードにカソードが接続されるツェナーダイオードＺＤ２（低電圧ダイオード）と、ツェナーダイオードＺＤ２に直列接続される電流制限抵抗Ｒ２と、電流制限抵抗Ｒ２にカソードが接続され、アノードが１次側グランドラインＧＮＤ１に接続される発光ダイオードＰＤ２（１次側発光ダイオード）及びこの発光ダイオードＰＤ２と対をなすコレクタ出力型のフォトトランジスタＰＴ２（２次側スイッチング素子）からなるフォトカプラＰＣ２とから構成されている。
【００４６】
尚、ツェナーダイオードＺＲ１，ＺＲ２の降伏電圧は商用電源Ｖの電圧よりも高く、且つ、雷サージの電圧よりも低く設定されている。
【００４７】
フォトトランジスタＰＴ１，ＰＴ２は、夫々、エミッタが２次側グランドラインＧＮＤ２に接続されているとともに、両コレクタが共通接続されている。また、共通接続点と２次側電源ラインＶｃｃ２との間には電位確定用抵抗ＲＡが配されているとともに、共通接続点がマイクロコンピュータ４００に設けられた入力端子４１０に接続されている。
【００４８】
ここで、発光ダイオードＰＤ１，ＰＤ２の双方がオフ状態のときは２次側グランドラインＧＮＤ２の電位、すなわちロウレベルの電圧（サージ検出信号Ｓ）がマイクロコンピュータ４００の入力端子４１０に出力される。一方、発光ダイオードＰＤ１，ＰＤ２のうちいずれか一方がオン状態のときは２次側電源ラインＶｃｃ２の電位、すなわちハイレベルの電圧が入力端子４１０に出力される。
【００４９】
尚、フォトトランジスタＰＴ１，ＰＴ２及び電位確定用抵抗ＲＡにより、請求項に記載のサージ検出信号出力回路を構成している。
【００５０】
本実施形態の構成は以上であり、続いてその動作について、正常状態と雷サージが制御装置に侵入した異常状態とで状況を別けて説明する。尚、図５には商用電源Ｖの電圧波形、マイクロコンピュータ４００の信号波形、ヒートポンプユニット２への供給電圧の波形を示す。
【００５１】
「正常状態」
給湯装置の電源をオンすると、マイクロコンピュータ４００は、入力端子４１０に入力された電圧レベルを検出する。ここで、雷サージが侵入していないときには、正サージ検出回路５１０及び負サージ検出回路５２０に備えられたツェナーダイオードＺＤ１，ＺＤ２への印加電圧は降伏電圧以下となるから、発光ダイオードＰＤ１，ＰＤ２はオフされた状態であり、フォトトランジスタＰＴ１，ＰＴ２の共通接続点の電位はハイレベルとなる。従って、マイクロコンピュータ４００にはサージ検出信号Ｓが入力されないから（ステップＳ１でＮｏ）、スイッチ２１０にＯＮ信号を送信するとともに、各サーミスタからの温度情報、流量カウンタからの流量情報およびリモコン１００Ａ，１００Ｂに設けられた操作スイッチからの信号等に基づいて、ヒートポンプユニット２、混合弁１６、１７およびリモコン１００Ａ，１００Ｂの表示部１１０Ａ，１１０Ｂ等を制御するする通常制御を行う（ステップＳ２）。従って、図５に示すように、ヒートポンプユニット２は商用電源Ｖから電源供給を受けてマイクロコンピュータの制御に基づいて動作する（図５（ａ），（ｂ）の（Ａ）の領域）。
【００５２】
「異常状態」
例えば、１次側電源ラインＶｃｃ１から雷サージＳ（図５（ａ）参照）が侵入したときには正サージ検出回路５１０に備えられたツェナーダイオードＺＤ１の印加電圧が降伏電圧以上の電圧となり、図３の矢線（１）の経路にて電流が流れる。そうすると、発光ダイオードＰＤ１がオンすることにより発光動作を行い、これによってフォトトランジスタＰＴ１がオンされると、共通接続点の電位がロウレベルとなる。従って、マイクロコンピュータ４００にサージ検出信号Ｓが入力されるから（ステップＳ１でＹｅｓ）、リモコン１００Ａ１００Ｂの表示部１１０Ａ，１１０Ｂに、例えば「雷を検知！電源を遮断。」というメッセージを表示させるとともに、スピーカ１２５Ａ，１２５Ｂを鳴動させ、所定時間経過後にスイッチ２１０にＯＦＦ信号を送信する警報制御を行う（ステップＳ３）。そうすると、ヒートポンプユニット２への電源供給が遮断されることにより、このヒートポンプユニット２の動作が停止する（図５（ａ）の（Ｂ）の領域）。
【００５３】
一方、１次側グランドラインＧＮＤ１から雷サージＳ（図５（ａ）参照）が侵入したときには、負サージ検出回路５２０に備えられたツェナーダイオードＺＤ２の印加電圧が降伏電圧以上の電圧となり、図３の矢線（２）の経路にて電流が流れる。そうすると、発光ダイオードＰＤ２がオンすることにより発光動作を行い、これによってフォトトランジスタＰＴ２がオンされると、共通接続点の電位がロウレベルとなる。従って、マイクロコンピュータ４００にサージ検出信号Ｓが入力されるから（ステップＳ１でＹｅｓ）、リモコン１００Ａ，１００Ｂの表示部１１０Ａ，１１０Ｂに、例えば「雷を検知！電源を遮断。」というメッセージを表示させるとともに、スピーカ１２５Ａ，１２５Ｂを鳴動させ、所定時間経過後にスイッチ２１０にＯＦＦ信号を送信する警報制御を行う（ステップＳ３）。そうすると、ヒートポンプユニット２への電源供給が遮断されることにより、このヒートポンプユニット２の動作が停止する（図５（ｂ）の（Ｂ）の領域）。
【００５４】
また、何らかの原因により、２次側グランドラインＧＮＤ２からサージが侵入することも考えられる。このような場合には、１次側グランドラインＧＮＤ１から雷サージＳが侵入した場合と同様の警報制御を行う（図５（ａ）、（ｂ）の（Ｂ）の領域）。
【００５５】
以上、本実施形態によれば、電源ラインＶｃｃ１又は／及びグランドラインＧＮＤ１，ＧＮＤ２から侵入したサージを確実に検出することができ、装置を確実に保護することができる。
【００５６】
尚、上記説明により、マイクロコンピュータ４００及びスイッチ２１０で請求項に記載の遮断手段を構成していることは明らかである。
【００５７】
また、本実施形態では、サージ検出回路５００を電源ラインＶｃｃ１と１次側グランドラインＧＮＤ１との間に配する構成としているから、スイッチング動作時に発生した高周波ノイズを除去するため、電源回路３００の１次側グランドラインＧＮＤ１と２次側グランドラインＧＮＤ２とをバイパスコンデンサＣを介して共通接続しても、これを確実に検出することができる。
【００５８】
また、上記実施形態のように正サージ検出回路及び負サージ検出回路を備えた構成とすれば、正サージ及び負サージを夫々個別に検出することができる。
【００５９】
また、サージが侵入したことを検出するための素子として固体によるバラつきの小さいツェナーダイオードＺＤ１，ＺＤ２を使用しているから装置としての信頼性を確保することができる。
【００６０】
また、表示部１１０Ａ，１１０Ｂ、スピーカ１２５Ａ，１２５Ｂにより給湯装置の使用者・管理者に対してサージ侵入により装置が停止したことを知らしめることができるから、突然の停止によって混乱させることがなく、安心感を与えることができる。
【００６１】
＜第２実施形態＞
以下、本発明の第２実施形態について図７を参照して説明する。
【００６２】
本実施形態では、スイッチ２１０を入力端子２００Ａ，２２０Ａ間に配した構成としている。これにより、電源ラインＶｃｃ１又はグランドラインＧＮＤ１から雷サージが侵入した場合に、スイッチ２１０をオフすると、ヒートポンプユニット２、電源回路３００及びマイクロコンピュータ４００への電源供給が遮断される。
【００６３】
従って、このように構成すれば、１つのスイッチ２１０で給湯装置を構成する全装置への電源供給を一括して遮断することができ、装置全体の保護を実現することができる。
【００６４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６５】
（１）上記実施形態では、フォトトランジスタＰＴ１，ＰＴ２のコレクタを共通接続していたが、例えば、両者のコレクタにそれぞれ別の電位確定用抵抗を接続し、マイクロコンピュータの入力端子を２つ設け、両者のコレクタを夫々の入力端子に接続する構成であってもよい。このように構成した場合、フォトトランジスタＰＴ１のコレクタ出力が正サージ検出信号、フォトトランジスタＰＴ２のコレクタ出力が負サージ検出信号を出力するように構成される。
【００６６】
（２）また、上記実施形態では、浴室リモコン１００Ａ及び台所リモコン１００Ｂに雷サージ侵入の警報動作させていたが、浴室リモコン１００Ａ又は台所リモコン１００Ｂのいずれか一方に警報動作させるようにしてもよい。
【図面の簡単な説明】
【００６７】
【図１】第１実施形態にかかる給湯装置の概略構成を示す模式図である。
【図２】制御装置２００の概略構成を示す模式図である
【図３】サージ検出回路５００の構成を示す回路図である。
【図４】マイクロコンピュータ４００の制御動作を示すフローチャートである。
【図５】商用電源Ｖの電圧波形、マイクロコンピュータ４００の信号波形、ヒートポンプユニット２への供給電圧の波形を示した図である。
【図６】マイクロコンピュータ４００の警報制御時における浴室リモコン１００Ａ，台所リモコンの状態を示した図である。
【図７】第２実施形態に係る給湯装置における制御装置２００の概略構成を示す模式図である。
【符号の説明】
【００６８】
２…ヒートポンプユニット
１００Ａ…浴室リモコン
１００Ｂ…台所リモコン
１１０Ａ，１１０Ｂ…表示部
２００…制御装置
２１０…スイッチ
３００…電源回路
４００…マイクロコンピュータ（制御手段）
５００…サージ検出回路（サージ検出手段）
５１０…正サージ検出回路
５２０…負サージ検出回路
【図１】
2006296047.tif 000003
【図２】
2006296047.tif 000004
【図３】
2006296047.tif 000005
【図４】
2006296047.tif 000006
【図５】
2006296047.tif 000007
【図６】
2006296047.tif 000008
【図７】
2006296047.tif 000009